(57)【特許請求の範囲】
【請求項１】
芝刈機本体の内部に風洞を設けると共に、上面に羽根を突設した円盤状のファンを上記風洞内の芝刈機本体の底部に回転自在に装着し、上記ファンと共に水平に回転駆動して芝を刈る芝刈刃をファンの下部に配し、ファンの羽根により引き起こされた風により上記芝刈刃で刈り取った芝屑が風洞を介して送られる集草部を風洞と連通するように芝刈機本体の後方に設けた芝刈機において、刈り取った長芝屑を引っ掛けて強制的に集草部へ送り出す突起をファンの上面の羽根よりも外径側で且つファンの径方向の所定間隔毎に上方に突出するように設け、この突起のファンからの高さを羽根のファンからの高さ以上に形成したことを特徴とする芝刈機。
【請求項２】
突起をファンの羽根と一体に形成したことを特徴とする請求項１に記載の芝刈機。
【請求項３】
突起をファンの回転方向に対して流線型に形成したことを特徴とする請求項1に記載の芝刈機。
【請求項４】
突起をファンの上面の外径側以外の部分にも突設させたことを特徴とする請求項１に記載の芝刈機。
【請求項５】
突起に長芝屑を切断する切断刃を設けたことを特徴とする請求項１に記載の芝刈機。
【発明の詳細な説明】
【０００１】
【発明の属する技術分野】
本発明は、ロータリー式の芝刈機であり、詳しくはファンが起こす風だけでは集草が困難な長芝屑をスムーズに集草させ、かつ、芝屑の風洞内での詰まりを防止するようにした芝刈機に関するものである。
【０００２】
【従来の技術】
従来からロータリー式の芝刈機に係る発明は、図１６に示すように、箱状の芝刈機本体１’の内部にモーター２’が設けられ、その他の部分の空洞を風洞３’とした構成を有している。上記風洞３’は芝刈機本体１’の後方に配置された集草部（図示せず）と連通しているものであり、芝刈機本体１’の底面前端部１ａ’において開口８’を有するものである。円盤状のファン１０’はモーター２’とモーター軸２ａ’を介して連設し、モーター２’の駆動で水平面で回転するファン１０’は芝刈機本体内部の底面付近に設けられるものであり、芝刈刃９’をファン１０’の下端に設け、上記開口８’に臨むようにしてある。なお、上記のような構成を有する芝刈機は、開口８’付近で回転している上記芝刈刃９’によって芝を刈り取ると共に、回転されたファン１０’が図中の風の流れＨを起こして刈り取った芝屑を風洞３’を介して集草部に送風させ、刈り取った芝屑を集草部に集めるものであった。
【０００３】
【発明が解決しようとする課題】
しかしながら、刈り取られた芝屑が水気を帯びていたり、または長芝屑の場合は芝屑の重量が重いものであり、ファン１０’で起こされた風の流れＨでは集草部に集めることが困難な場合がある。このような場合には、風洞３’の周壁に張り付いてしまったりして集草部に集草される前で溜まってしまったりするものである。一度溜まりだした芝屑は新たに刈り取られて風洞３’に取り込まれた芝屑を次々と巻き込みながら溜まり状態を助長させてしまうものである。上記のような芝屑の溜まり状態が風洞３’の空間内の集草部へ通じる空間を塞いでしまうほど風洞３’内に充塞されるようになると、刈られた芝屑が全く集草部に集められない状態となり、新しく刈り取られた芝屑は風洞３’内に溜まる一方になり、ファン１０’の回転を阻害するようになったり、新しく刈られた芝屑を風洞３’内に取り込むことができずに外部に撒き散らしてしまったりすることが起きるものである。この問題を解決する手段の一例としては、単純にファン１０’の起こす風の出力を上げるというものもあるが、これによると、出力モーター２’の大型化に伴い装置の大型化を図らねばならなかったり、ファン１０’及びモーター２’から発生する騒音が大きいものとなってしまい、住宅街などの近隣への迷惑が問題とされるなどその弊害は無視できないものである。
【０００４】
本発明は上記の点に鑑みてなされたものであり、ファンが起こす風だけでは集草が困難な長芝屑をスムーズに集草させ、かつ、芝屑の風洞内での詰まりを防止するようにしたロータリー式の芝刈機を提供することを課題とするものである。
【０００５】
【課題を解決するための手段】
上記課題を解決するために本発明の請求項１に係る芝刈機は、芝刈機本体１の内部に風洞３を設けると共に、上面に羽根２２を突設した円盤状のファン１０を上記風洞３内の芝刈機本体１の底部に回転自在に装着し、上記ファン１０と共に水平に回転駆動して芝を刈る芝刈刃９をファン１０の下部に配し、ファン１０の羽根２２により引き起こされた風により上記芝刈刃９で刈り取った芝屑が風洞３を介して送られる集草部１４を風洞３と連通するように芝刈機本体１後方に設けた芝刈機において、刈り取った長芝屑を引っ掛けて強制的に集草部１４へ送り出す突起２３をファン１０の上面の羽根２２よりも外径側で且つファン１０の径方向の所定間隔毎に上方に突出するように設け、この突起２３のファン１０からの高さを羽根２２のファン１０からの高さ以上に形成したことを特徴とするものである。刈り取った長芝屑を引っ掛けて強制的に集草部１４へ送り出す突起２３をファン１０の上面に上方に突出するように設けたことより、突起２３が刈り取った長芝屑を引っ掛けて強制的に集草部１４へ送り出し、また、風洞３の周壁への長芝屑の張り付き及び風洞３内の芝屑の詰まりを防ぐことができ、ファン１０の風量及び風速の出力を上げることない低騒音運転で効果的に集草部１４へ集草されるものである。また、突起２３をファンの上面で上方に突設した羽根２２が有するファン１０からの高さ以上の高さを有するように形成したことにより、刈り取った長芝屑が引っ掛かりやすいものとなり、効果的に風洞内の芝屑の詰まりを防ぐことができるものである。また、突起２３をファンの上記羽根２２よりも外径側に設けたことにより、突起２３の動作範囲を大きく設けることができ、効果的に風洞３内の芝屑の詰まりを防ぐことができるものである。
【０００７】
また、本発明の請求項２に係る芝刈機は、請求項１において、突起２３をファン１０の羽根２２と一体に形成したことを特徴とするものである。これにより部品点数を少なくすることができ、製法上の簡易さを期することができるものである。
【０００８】
また、本発明の請求項３に係る芝刈機は、請求項１において、突起２３をファン１０の回転方向Ｆに対して流線型に形成したことを特徴とするものである。これにより突起２３が回転することで誘発される風切音の騒音を極力抑えることができるものである。
【０００９】
また、本発明の請求項４に係る芝刈機は、請求項１において、突起２３をファン１０の上面の外径側以外の部分にも突設させたことを特徴とするものである。これにより突起２３の作動範囲を広げることができ、風洞３内に取込まれた長芝屑を確実に突起２３に引っ掛けて集草部１４へ強制的に送ることができ、効果的に風洞３内の芝屑の詰まりを防ぐことができるものである。
【００１０】
また、本発明の請求項５に係る芝刈機は、請求項１において、突起２３に長芝屑を切断する切断刃２４を設けたことを特徴とするものである。これにより、刈り取られて風洞３内に取込まれた長芝屑を切断して短芝屑にすることができ、風洞３内の芝屑の詰まりの原因である長芝屑を少なくすることができ、効果的に風洞３内の芝屑の詰まりを防ぐことができるものである。
【００１１】
【発明の実施の形態】
以下、本発明を添付図面に示す実施形態に基づいて説明する。
【００１２】
図１乃至８に本発明の実施の形態の例を示す。図２及び３に示すようにロータリー式の芝刈機は、概略して芝刈機本体１とハンドル２５と把手部３９から構成されるものである。ハンドル２５は芝刈機本体１の両側面の後方上部に設けた継手２６を介して回転自在に装着されているものであり、ハンドル２５の芝刈機本体１側と反対側の端部にて把手部３９を固着しているものである。把手部３９にはスイッチ４０が設けられ、スイッチ４０からは電源コード４１が延出し、電源コード４１はハンドル２５に沿って延びており、芝刈機本体１内に敷設されたモーター２まで繋がっているものである。
【００１３】
芝刈機本体１は図２に示すように、芝刈機本体１は両側面の前後端に車輪６を有する箱状の形状を有するものであり、蓋ハウジング４及びハウジング５で形成されるものである。蓋ハウジング４はハウジング５にかぶさるように引っ掛けて固着されるものであり、ハウジング５は下記の動力部７及び風洞３を形成すると共に芝刈機本体１の外郭を形成するものである。芝刈機本体１内部には中央部分に動力部７が設けられ、動力部７の周りを囲むように風洞３が形成されている。風洞３は後述するファン１０の回転方向Ｆと同方向である風上から風下に向かって、特に天井が高くなりながらその体積を広げるように形成しているものである。また、風洞３の一部を形成する芝刈機本体１の底面板１９の前端部１ａにおいて開口８を有し、上記開口８に臨む底面板１９の先端部分には熊手状の芝取込み具２１を設けているものである。また、風洞３は芝刈機本体１の後部においても開口１３を有するものであり、芝刈機本体１の後部に着脱自在に装着される集草部１４と上記開口１３を介して連通するものである。このように芝刈機本体１に底面板１９を設け、開口８を底面の前端部に設けたことは、地面の凹凸からくる衝撃から芝刈機本体１または後述するファン１０等を保護することを期したものである。
【００１４】
動力部７では、モーター２がマウント１２を介してビス１１にてハウジング５に固定されるものであり、モーター２から延出するモーター軸２ａの先端をハウジング５に穿かれた軸孔より突出させ、動力部７の下部の風洞３内に位置させてある。ここで、モーター軸２ａは断面Ｄ字型の形状を有し、また、モーター軸２ａの表面にはネジ山が形成されるものである。
【００１５】
ファン１０は図１に示すように、円盤状の形状を有するものであり、その上面には複数条の羽根２２が上方に向かって突設し、また、突起２３が上方に向かって突設しているものである。上記羽根２２は円周に亘って中心から放射状に配置しているものであり、また、上記突起２３は上記羽根２２よりも外径側で１／４回転ごとの位置に配置しているものである。なお、突起２３は羽根２２よりも高さを有するものである。また、ファン１０は中心付近には肉厚有するボス部１８を有し、上記ボス部１８には軸方向に貫通する軸孔１７が穿設されている。ここで上記軸孔１７はモーター軸２ａと略同径の断面Ｄ字型の形状を有するものである。また、ファン１０の下面には複数の芝刈刃９がビス２０を介して固着されているものである。上記芝刈刃９は平板状の形状であり、少なくともファン１０より突出する先端の回転方向Ｆに対しては刃を有し、長手方向の中央付近でビス２０が挿入されるビス孔を有するものである。上記のような構成を有するファン１０は、風洞３内に突出したモーター軸２ａを軸孔１７に嵌合し、更にバネ座金１５及び六角ナット１６をモーター軸２ａに螺設することで、風洞３内の駆動部の下部においてモーター２と抜け止め固着されるものである。このとき、ファン１０の下面に固着された芝刈刃９の先端は、風洞３の底面板１９に設けた開口８に臨むような位置で、且つ、芝取込み具２１の上方に位置しているものである。また、上記のようにモーター軸２ａ及び軸孔１７を断面Ｄ字型に形成し嵌合させることで、ファン１０との接合部分でモーター２の回転出力の空回りを防止し、ロスなくファン１０に伝動することができるものである。
【００１６】
ハンドル２５は図４に示すように、太パイプ２７の内部に細パイプ２８を挿入しスライドさせて、位置決め調節器２９にて位置決めを無段階に行う無段階伸縮機構を有するものである。太パイプ２７は芝刈機本体１と継手２６を介して回転自在に接続しており、また、芝刈機本体１側と反対側の端部には調節孔３０を有し、上記調節孔３０をおおうように位置決め調節器２９が設けてあるものである。細パイプ２８は太パイプの内径よりも細い径を有し、芝刈機本体１側の端部ではストッパー３１が固着されているものであり、芝刈機本体１側と反対側の端部では把手部３９と連設するものである。ここでストッパー３１は図６に示すように、太パイプ２７と細パイプ２８の間の空間の板状部材３１ａと細パイプ２８を貫通する箱状部材３１ｂの２点の部材から構成されるものである。位置決め調節器２９は図５に示すように、レバー３２が回転継手３３を介して回転支持され、太パイプ２７の調節孔３０に挿入すると共にレバー３２と細パイプ２８の間の位置に圧縮プレート３４及び圧着材３５を配置し、太パイプ２７と細パイプ２８の間の空間に設ける板状部材有するストッパー３６を設けて構成されるものである。ここで直方柱状の圧着材３５は板状の圧縮プレート３４に接着剤で固着されているものであり、樹脂製の圧縮プレート３４に比してゴムなどから製造された圧着材３５はそのバネ係数が顕著に低い値のものである。このようにレバー３２からの一点に係る押付力をバネ係数の高い圧縮プレート３４で受けることで、変形を伴わずにその押付力を面全体で圧着材３５に伝えることができるものである。また、ここでストッパー３６を設けたことにより、把手部３９方向に細パイプ２８を引っ張っても細パイプ２８のストッパー３１と引っ掛かるため、細パイプ２８の把手部３９方向の引き抜きを防止することができるものである。なお、連結部３８は対向するハンドル２５の位置決め調節器２９と連接する強度補強材である。
【００１７】
このような構成を有する位置決め調節器２９のレバー３２は回転継手３３の周りの肉厚に変化をつけたものを用いており、図５に示すように、レバー３２を回転させることによりカムの原理によって押付力に強弱をつけて圧縮プレート３４及び圧着材３５を押すことができ、強い押付力を受けたバネ定数の低い圧着材３５が細パイプ２８に強く押しつけられて細パイプの形状に併せて変形して密着することで細パイプ２８との摩擦力が高まり、もとの押付力も相俟って細パイプ２８を安定的に保持することができ、それは細パイプ２８の場所を選ばずできるもので、無段階にハンドル２５を伸縮できるものである。なお、固定状態を解く場合は図７に示すようにレバー３２を締める方向と逆方向に回転させればいいものである。
【００１８】
なお、参考に図１５のグラフを表す。（ａ）は圧着材３５に用いられたゴムなどの弾性体の圧縮量と押付力の関係であり、（ｂ）は圧着プレ−ト３４の用いられた樹脂の圧縮量と押付力の関係である。これよりバネ係数の低い弾性体で構成される圧着材３５とバネ係数の高い樹脂材で構成される圧縮プレート３４の圧縮量と押付力の関係は、バネ係数の低い弾性体の方が樹脂に比べてある押付力Ｐに対して圧縮量を大きく持つことができるものである（Ｌ１＞Ｌ２）。細パイプ２８を固定する保持力は押付力と摩擦力の積に比例するものであるので、少ない押付力で多量の圧縮量を得られることのできるバネ係数の低い圧着材３５は細パイプ２８に合わせて形状を変化させることができ、細パイプ２８との接触面積を広くとることができることで摩擦力を高めることができ、小さい押付力でも細パイプ２８を固定する保持力を大きなものとすることができるものである。また、バネ係数の高い樹脂に起こりがちな応力緩和も抑制するので、時経的にも押付力が低下しにくいものである。以上よりバネ定数の低い弾性体を用いた圧着材３５は、細パイプ２８への圧着材に適しているのである。また、上記のように圧着材３５を使用した場合、位置決め調節器２９に関して言うと、小さい押付力を発生させればいいので各構成部品にかかるストレスも高いものとならずに、部品精度や強度、寿命などの点にそれほどシビアにならなくていいものであり、量産性に優れているといえるものである。
【００１９】
把手部３９は図８に示すように、スイッチ４０が固定グリップ４２と可動グリップ４３の間に設けられているものである。また上記固定グリップ４２と可動グリップ４３の間にはバネ（図示せず）が設けられている。上記のような構成のスイッチ４０は、グリップ４２，４３を握ることにより、スイッチ４０が通電して電源をオンの状態にするものであり、グリップ４２，４３の握りを弱めると上記バネにより可動グリップ４３は固定グリップ４２から離されて、スイッチ４０の通電状態が解かれ電源がオフの状態になるものである。また、固定グリップ４２からはスイッチ４０と繋がる電源コード４１が延出し、ハンドル２５に沿って芝刈機本体１方向へ導かれている。上述したが、上記電源コード４１は把手部３９のスイッチ４０と芝刈機本体１内部のモーター２とを繋げるものであり、その経路はハンドル２５の左右どちらか一方のハンドル２５に沿って設けられているものであり、図５に示すように位置決め調節器２９の対向するハンドル２５側に設けてあるコード固定部３７に電源コード４１が挿入嵌合されるものである。このように、電源コード４１をハンドル２５に沿わせて設け、ハンドル２５に固定させたことから、電源コード４１がたるまないものである。また、上記コード固定部３７よりも芝刈機本体１側で固定することも好ましく、このようにすることで更に電源コード４１をハンドル２５に固定させることができ、ハンドル２５を継手２６で芝刈機本体１の上面側に回転させて折り畳む場合にも、折り畳む分だけ狭くなる芝刈機本体１とハンドル２５の間で挟まり噛み込まれることを低コストで未然に防止することができるものである。
【００２０】
上記の構成を有する芝刈機は、収納時には芝刈機本体１側に倒してあることの多いハンドル２５を運転するに程よい位置に回転し位置設定し、また収納時には一番短い丈にしてあることの多いハンドル２５を位置決め調節器２９のレバー３２を用いて運転するに程よい位置に調節する。そして把手部３９のグリップ４２，４３を握って電源をオンの状態にして運転するものである。電源がオンの状態になると、モーター２が回転をし、モーター軸２ａを介してファン１０が回転するものである。上記のようにファン１０が回転すると、図９に示すように、風洞３内ではファン１０の上面に設けられた羽根２２が風を引き起こし、開口８から開口１３に向かって風の流れＥができるものである。またファン１０の下面には複数の芝刈刃９が固着されているものであるので、芝刈刃９も回転されるものである。このような状態で芝刈機本体１を地面に沿わせることで、開口８に臨む位置にある芝取込み具２１が接した芝を挟んで立たせ、開口８から風洞３内に取り込むものである。芝取込み具２１のすぐ上方には芝刈刃９が回転して控えているため、上記風洞３内に取込まれた芝が芝刈刃９によって切断されるものである。切断された芝の芝屑は、上述した風洞３内の風の流れＥにより風洞３内に取込まれ、芝屑のうち短芝屑は重量も軽いためそのまま風の流れＥに載って開口１３から芝刈機本体１の後方の集草部１４に排出され、集草されるものである。芝屑のうち長芝屑は重量も比較的重く、風の流れＥに乗りきれないことが多いが、表面面積が大きいのでファン１０の上面で回転する突起２３に引っ掛かることが多く、強制的に送り出されて開口１３から集草部１４に排出されるものである。なお、従来の技術のところで述べたが、突起２３がない場合では、図１０に示すように、芝屑は風洞３内に溜まって芝屑溜まりＧを発生させ、更に相乗的に芝屑溜まりＧは風洞３を塞ぐほどの大きなものとなってしまうが、突起２３が設けられた場合には、少なくとも突起２３の作動範囲においては確実に芝屑溜まりＧは回転する突起２３により強制的に除去されるものであり、助長されることはないものである。
【００２１】
また、実施の形態の他例として、図１１に示すように、ファン１０の上面に突設した突起２３を、同じくファン１０の上面に突設して設ける羽根２２と一体に形成することも好ましいものである。本例では羽根２２のファン１０外径側端部に突起２３が設けられているものである。このようにすることで、ファン１０を製造するときに突起２３をファン１０に固着する作業工程及び部品点数を減らすことができ、製法上の簡易さを期することができるものである。
【００２２】
また、実施の形態の他例として、図１２に示すように、突起２３を回転方向Ｆに対して流線型に形成しファン１０の上面に設けることも好ましいものである。ファン１０が回転すると、突起２３は羽根２２と違って空気を切るような形状を有しているので、風切音が発生してしまうものであるが、本例のように回転方向Ｆに対して流線型に突起を形成することで空気との抵抗を減らすことができ、風切音の発生を極力抑えることができ、芝刈機が発する騒音を減ずることができるものである。
【００２３】
また、実施の形態の他例として、図１３に示すように、突起２３をファン１０の上面の外径側だけでなくその中心方向にも設けることも好ましいものである。このようにすることで、突起２３の作動範囲を広げることができ、風洞３内に取込まれた長芝屑を確実に突起２３に引っ掛けることができ、強制的に集草部１４に送り出すことができ、効果的に風洞３内の芝屑の詰まりを防ぐことができるものである。
【００２４】
また、実施の形態の他例として、図１４に示すように、突起２３に長芝屑を切断する切断刃２４を設けたことも好ましいものである。このようにすることで、刈り取られて風洞３内に取込まれた長芝屑を切断して短芝屑にすることができ、風洞３内の芝屑の詰まりの原因である長芝屑を少なくすることができ、効果的に風洞３内の芝屑の詰まりを防ぐことができるものである。
【００２５】
【発明の効果】
上記のように本発明の請求項１記載の芝刈器にあっては、芝刈機本体の内部に風洞を設けると共に、上面に羽根を突設した円盤状のファンを上記風洞内の芝刈機本体の底部に回転自在に装着し、上記ファンと共に水平に回転駆動して芝を刈る芝刈刃をファンの下部に配し、ファンの羽根により引き起こされた風により上記芝刈刃で刈り取った芝屑が風洞を介して送られる集草部を風洞と連通するように芝刈機本体後方に設けた芝刈機において、刈り取った長芝屑を引っ掛けて強制的に集草部へ送り出す突起をファンの上面の羽根よりも外径側で且つファンの径方向の所定間隔毎に上方に突出するように設け、この突起のファンからの高さを羽根のファンからの高さ以上に形成したので、突起の動作範囲を大きくできて効果的に、突起に刈り取った長芝屑を引っ掛けて強制的に集草部へ送り出すと共に風洞の周壁への長芝屑の張り付き及び風洞内の芝屑の詰まりを防ぐことができ、ファンの風量及び風速の出力を上げることない低騒音運転で効果的に集草部へ集草されるものである。
【００２７】
また、本発明の請求項２記載の芝刈機は、請求項１の効果に加えて、突起をファンの羽根と一体に形成したので、ファンを製造するときに突起をファンに固着する作業工程及び部品点数を少なくすることができ、製法上の簡易さを期することができるものである。
【００２８】
また、本発明の請求項３記載の芝刈機は、請求項１の効果に加えて、突起をファンの回転方向に対して流線型に形成したので、空気との抵抗を減らすことができ、突起が回転することで誘発される風切音の騒音を極力抑えることができるものである。
【００２９】
また、本発明の請求項４記載の芝刈機は、請求項１の効果に加えて、突起をファンの上面の外径側以外の部分にも突設させたので、突起の作動範囲を広げることができ、風洞内に取込まれた長芝屑を確実に突起に引っ掛けて集草部へ強制的に送ることができ、効果的に風洞内の芝屑の詰まりを防ぐことができるものである。
【００３０】
また、本発明の請求項５記載の芝刈機は、請求項１の効果に加えて、突起に長芝屑を切断する切断刃を設けたので刈り取られて風洞内に取込まれた長芝屑を切断して短芝屑にすることができ、風洞内の芝屑の詰まりの原因である長芝屑を少なくすることができ、効果的に風洞内の芝屑の詰まりを防ぐことができるものである。
【図面の簡単な説明】
【図１】本発明の実施の形態の例のファンを示すものであり、（ａ）は上面図であり、（ｂ）は側面断面図であり、（ｃ）はＡ−Ａ断面図である。
【図２】同上の芝刈機本体を示す側面断面図である。
【図３】同上のハンドル及び把手部を示す側面図である。
【図４】同上のハンドルの固定状態を示す部分側面断面図である。
【図５】図４のＢ−Ｂ断面図である。
【図６】図４のＣ−Ｃ断面図である。
【図７】同上のハンドルの固定解除状態を示す部分断面図である。
【図８】同上のハンドル及び把手部を示す正面図である。
【図９】同上の芝刈機本体部分のファンの羽根によって起こされる風の流れを示す説明図で、（ａ）は側面断面図であり、（ｂ）は上面断面図である。
【図１０】ファンに突起がない場合の風洞内に芝屑の溜まりを示す説明図で、（ａ）は側面断面図であり、（ｂ）は上面断面図であり、（ｃ）は（ａ）のＤ−Ｄの正面断面図である。
【図１１】本発明の実施の形態の他例のファンを示すものであり、（ａ）は上面図であり、（ｂ）は側面断面図である。
【図１２】本発明の実施の形態の他例のファンを示すものであり、（ａ）は上面図であり、（ｂ）は側面断面図であり、（ｃ）は部分側面図である。
【図１３】本発明の実施の形態の他例のファンを示すものであり、（ａ）は上面図であり、（ｂ）は側面断面図である。
【図１４】本発明の実施の形態の他例の芝刈刃を装着したファンを示すものであり、（ａ）は上面図であり、（ｂ）は側面断面図である。
【図１５】本発明の実施の形態の例のハンドルの固定の必要な保持力に関する押付力及び圧縮量の関係のグラフを示すもので、（ａ）は弾性体の場合のグラフである、（ｂ）は樹脂の場合のグラフである。
【図１６】従来技術の例を示すものであり、芝刈機本体の側面断面図である。
【符号の説明】
１  芝刈機本体
２  モーター
３  風洞
９  芝刈刃
１０  ファン
１４  集草部
２２  羽根
２３  突起
【図１】
0003632530.tif 000002
【図２】
0003632530.tif 000003
【図３】
0003632530.tif 000004
【図４】
0003632530.tif 000005
【図５】
0003632530.tif 000006
【図６】
0003632530.tif 000007
【図７】
0003632530.tif 000008
【図８】
0003632530.tif 000009
【図９】
0003632530.tif 000010
【図１０】
0003632530.tif 000011
【図１１】
0003632530.tif 000012
【図１２】
0003632530.tif 000013
【図１３】
0003632530.tif 000014
【図１４】
0003632530.tif 000015
【図１５】
0003632530.tif 000016
【図１６】
0003632530.tif 000017